(57)【特許請求の範囲】
【請求項１】
箱状に形成した機体ａ内に、水道水よりなる冷却水ｗを張り込む水槽１を装設して、その水槽１内に、機体ａ前面のドラフトコック５から汲み出す清涼飲料を流過させて冷却する蛇管２を、冷凍機３のコンプレッサー３ａで圧縮して放熱器３ｂにより放熱した冷媒を蒸発させる冷媒蛇管３ｄとを配設し、その冷凍機３の作動を、冷媒蛇管３ｄのまわりに冷却水ｗから生成される氷ｋの厚さを検出するよう水槽１内に配設する氷センサＳが検出する検出信号によりオン・オフ制御させる清涼飲料のディスペンサーの冷凍機の制御装置において、水槽１内の水道水よりなる冷却水中に、その冷却水の水道水に投入される消毒剤の塩素イオンの経時的な消失による電気伝導度の低下を検出する水質センサ７を氷センサＳと別に設け、機体ａの外面に、前記水質センサ７により検出する結果から冷却水の交換を指示する文を表示する表示装置８を設けたことを特徴とする清涼飲料のディスペンサーにおける冷凍機の制御装置。
【請求項２】
水質センサ７を、氷センサＳに、その氷センサＳの一対の電極Ｓ１・Ｓ２を利用して組み込むことを特徴とする請求項１記載の清涼飲料のディスペンサーにおける冷凍機の制御装置。
【発明の詳細な説明】
【０００１】
【発明が属する技術分野】
本発明は、ビール・炭酸水などの清涼飲料を、冷凍機と組み合わせて機体内に装設した水槽内に配設せる蛇管内を流過させて氷点近くの低温に冷却し、機体の外面に設けたドラフトコックからジョッキ等の容器に分配して注ぎ出すようにしたディスペンサーにおいて、水槽内に張り込む冷却水中に氷が常時所定量存在するように冷凍機の作動を制御せしめるための制御手段についての改良に関する。
【０００２】
【従来の技術】
上述の清涼飲料のディスペンサーＡは、通常、図１にあるように、箱状に形成した機体ａ内を、例えば上下に区画して２分し、その一半側である上半側に冷却水ｗを張り込む水槽１を装設し、それの内部にビール等の清涼飲料を流過させる蛇管２を配設し、他半側である下半側は、機械室３０に形成して、そこに前記水槽１内に張り込む冷却水ｗ中に氷を生成するための冷凍機３のコンプレッサー３ａと、これにより圧縮した冷媒を放熱する放熱器３ｂと、機械室３０の周壁に設けた通気口３１から取込む外気を冷却風として放熱器３ｂに供給する冷却ファン３ｃと、それを駆動するファンモータＭ１とを装設する。
【０００３】
そして、この冷凍機３の放熱器３ｂで放冷した冷媒を蒸発させる冷媒蒸発管となる冷媒蛇管３ｄを前述の水槽１内に配設した蛇管２の外周側を外筒状に囲うよう配設して、それの始端側を冷凍機３の放熱器３ｂに冷媒管路３ｅを介し接続し、終端側を冷凍機３のコンプレッサー３ａに冷媒管路を３ｅ介し接続して、コンプレッサー３ａで圧縮された冷媒が冷媒管路３ｅを経て放熱器３ｂに送給されて放冷され、そこから冷媒蛇管３ｄ内に供給されてそこで蒸発気化し、その蒸発熱により冷媒蛇管３ｄを冷却してそれの周囲の冷却水に氷ｋを生成し、この気化した冷媒がコンプレッサー３ａに戻り、再び圧縮されて放熱器３ｂを経て冷媒蛇管３ｄに供給されていくように循環させて、水槽１内の冷却水に氷ｋを生成していくようにする。
【０００４】
この冷凍機３の作動を、水槽１内に配設しておく、一対の電極Ｓ１・Ｓ２が所定の間隔をおいて対向する氷センサＳによりオン・オフ制御させ、冷媒蛇管３ｄの周囲に所定の厚さの氷ｋが存在するようにする。
【０００５】
この氷センサＳは、冷却水（通常の水道水）の電気の伝導性と氷ｋの電気の伝導性とに差があることを利用したもので、生成する氷ｋの量が多くなって、それの厚さを増し、この氷ｋが肥厚する方向に並列対向させておく一対の電極Ｓ１・Ｓ２間に氷ｋが存在するようになると、氷ｋの電気伝導性が低いことで電極Ｓ１・Ｓ２間に電気が流れにくくなるから、これを検出させてこのときにコンプレッサー３ａの駆動モータをオフとし、それにより次第に氷ｋが融けて、電極Ｓ１・Ｓ２間を冷却水を介して電気が流れるようになると、水の電気伝導性が良いことで電気の流れが良くなるから、これを検出してコンプレッサー３ａの駆動モータをオンとし、再び冷凍機３を作動させて、冷却水中に所定量の氷が常時存在するように制御しておく。
【０００６】
そして、これにより、図１にあるように、例えば、生ビールの樽４を導管４０を介して蛇管２の始端側２ａに接続し、その蛇管２の終端側２ｂを機体ａの前面に設けておくドラフトコック５に接続しておくことで、ドラフトコック５を操作することにより、生ビールが、所定量の氷が存在する水槽１内の冷却水中の蛇管２を流過して、氷点近く（３℃程度）に冷却されてドラフトコック５から注ぎ出されるようにしている。
【０００７】
【発明が解決しようとする課題】
上述のディスペンサーＡは、冷凍機３が氷センサＳにより制御されてオン・オフ作動することで、蛇管２を配設した水槽１内の冷却水中に、常時所定量の氷ｋが存在していることから、通常行われる頻度でドラフトコック５から清涼飲料の汲み出しを行っても、とり出される清涼飲料は氷点近くの低温に冷却されている筈であるが、冷凍機３および氷センサＳの機能には異常がなくても冷凍機３の作動がなく、それにより冷却が充分に行われない場合が生してくる問題がある。
【０００８】
本発明は、この問題を解消せしめるためになされたものであって、冷凍機およびそれを制御する氷センサも異常がなくて、汲み出す清涼飲料の冷却が不充分になる場合が生ずる前に、このような事態が起こるのを有効に防止し得るようにすることを目的とし、この目的を達成するための新たな手段を提供するものである。
【０００９】
【課題を解決するための手段】
本発明は、上述の問題を解決するために種々の研究を重ねて得られた知見に基づいてなされたものである。
【００１０】
即ち、冷凍機および氷センサの機能には格別の不具合がないにもかかわらず、冷凍機の製氷作動が不充分で、注ぎ出す清涼飲料の冷却が不充分になったディスペンサーを点検すると、その殆どが、長時間の使用を経たもので、かつ、その間に冷却水の交換がないものであること、そして、水槽内の冷却水を、新しい水道水と交換すると、所定の作動を行うように機能するようになることから、水槽内の冷却水が経時変化により、水道水に投入されている消毒剤の塩素イオンが消失してくることで、この塩素イオンによる電気伝導性が低下したことによって、氷センサの機能に不調を生ぜしめていることが判ってきたこと、そして、このことから、水槽内に張り込む冷却水中に、その冷却水の電気伝導性を検出して水質を検知する水質センサを設けておくことで、冷却水の電気伝導度が低下してきたときに、それを検知し、判断し得るようにしておけば、このようになったときに水槽内の冷却水を新たな水道水と交換することで、電気伝導度の低下により氷センサが、一対の電極間に氷が無いにも拘わらず氷と同じ程度の電気伝導度になった冷却水により、氷が存在しているように作動して、冷凍機をオフに保持するようになる不都合を解消せしめ得ることが判ってことによるものである。
【００１１】
そして、このことから本発明においては、上述の、目的を達成するための手段として、箱状に形成した機体ａ内に、水道水よりなる冷却水ｗを張り込む水槽１を装設して、その水槽１内に、機体ａ前面のドラフトコック５から汲み出す清涼飲料を流過させて冷却する蛇管２を、冷凍機３のコンプレッサー３ａで圧縮して放熱器３ｂにより放熱した冷媒を蒸発させる冷媒蛇管３ｄとを配設し、その冷凍機３の作動を、冷媒蛇管３ｄのまわりに冷却水ｗから生成される氷ｋの厚さを検出するよう水槽１内に配設する氷センサＳが検出する検出信号によりオン・オフ制御させる清涼飲料のディスペンサーの冷凍機の制御装置において、水槽１内の水道水よりなる冷却水中に、その冷却水の水道水に投入される消毒剤の塩素イオンの経時的な消失による電気伝導度の低下を検出する水質センサ７を氷センサＳと別に設け、機体ａの外面に、前記水質センサ７により検出する結果から冷却水の交換を指示する文を表示する表示装置８を設けたことを特徴とする清涼飲料のディスペンサーにおける冷凍機の制御装置を提起するものである。
【００１２】
【発明の実施の形態】
本発明による清涼飲料のディスペンサーによる冷凍機の制御装置は、ディスペンサーＡの機体構成自体については、基本的には従前のディスペンサーと同様に構成してよい。
【００１３】
図２に示す実施例について具体的にいえば、図においてａは箱状に形成した機体、１はその機体ａ内の上半側に装設した水槽、２はその水槽１内の中心に寄る部位に円筒状に成形して配設した清涼飲料の冷却用の蛇管、３は機体ａの下半側に形成した機械室３０内に組み込んだ冷凍機、３ａはその冷凍機３の冷媒を圧縮するコンプレッサー、３ｂは圧縮した冷媒を放熱する冷凍機３の放熱器、３ｃは機械室３０の周壁に設けた通気口３１から取込む外気を冷却風として放熱器３ｂに浴せる冷却ファン、Ｍ１はそれを駆動するモータ、３ｄは前述の水槽１内の蛇管２の外周を取囲むように水槽１内に配設して冷媒管路３ｅを介し前記放熱器３ｂおよびコンプレッサー３ａに接続した冷媒蒸発管、４は清涼飲料の冷却用の蛇管２の始端側２ａに導管４０を介して接続したビールの生樽、５は前記蛇管２の終端側に接続させて機体ａの前面側に装設したドラフトコック、ｗは水槽１内に張込んだ冷却水、ｋは冷凍機３の作動により冷媒蛇管３ｃの回りに冷却水ｗから生成されてくる氷、Ｓはその生成される氷ｋの厚さを検出する水槽１内に配設した氷センサ、６は氷センサＳの一対の電極Ｓ１・Ｓ２間を流れる電流により検出される氷ｋの厚さに基づいて冷凍機３の作動をオン・オフ制御するよう機体ａに設けたコントローラである。
【００１４】
コントローラ６は、機筺状に形成して機体ａの内面に組み付けた制御ボックス６ａ内に装置され、その制御ボックス６ａは氷センサＳを支持するステー６ｂの支持台を兼ねている。
【００１５】
７は水槽１内の冷却水の水質を検知する水質センサで、図３に示すよう一対の電極７０・７１間における冷却水の電気伝導度を検出する前述の氷センサＳと同様の構成のもので、前述の制御ボックス６ａに支架したステー７２に支持せしめて、氷ｋが生成される冷媒蛇管３ｄから離して水槽１の中央部に寄せた部位に配設してある。
【００１６】
そして、この水質センサ７により検出された電流の信号値が制御ボックス６ａ内のＣＰＵを組み込んだ制御回路に入力されて、水質が正常であるか電気伝導度が低下しているかの判断がなされ、その結果が機体ａの外面の前面などの適宜位置に設けておく表示装置８に表示されるようにしてある。
【００１７】
この表示装置８は、図４に示しているように、ランプＬを用い、水質センサ７により検出される冷却水ｗの電気伝導度が正常なときには、このランプＬが点灯し続け、電気伝導度が規定値よりも低下してきたときに、点滅を繰返すようにすることで、水質の異常を表示させるようにしてよいが、液晶パネルのディスプレーを用い、それの表示面８０に、水質が悪くなったことの表示と併せて、冷却水の交換が必要である旨を指示する文を表示させるようにしてよく、また、このとき、断続するブザーを併用するようにしてよい。
【００１８】
また、この水質センサ７は、氷センサＳの一対の電極Ｓ１・Ｓ２を利用して、この氷センサＳの電極Ｓ１・Ｓ２間を流れる電流の電気伝導値を検出するようにすることで、この氷センサＳに組み込むように構成することが可能であり、そのようにしてよい。
【００１９】
図示する実施例において、９は機体ａ内の水槽１に張り込む冷却水ｗを撹拌するアジテーター、Ｍ２はそれを駆動するモータ、１０は機体ａに付設せる冷凍機３等の電気機器の電源コード、Ｂは清涼飲料であるビールが詰められた生樽４内に圧力を供給する炭酸ガスのボンベである。
【００２０】
【発明の効果】
以上説明したように、本発明手段は、水槽内の冷却水の水質を検出する水質センサを設けて、それにより検出した冷却水の水質の状態を、機体の外面に設ける表示装置に表示するようにして、水道水よりなる冷却水が、水道水に投入される消毒剤による塩素イオンの経時的な消失により、電気伝導性を劣化させた水質のものになっていたときに、これの表示装置の表示から、水槽内の冷却水を新しい水道水に入れ換える操作をするようにしているのだから、水槽内の冷却水が経時的変化による塩素イオンの消失で電気伝導性の劣化をきたしたときの、氷センサによる冷凍機の制御を不具合とするのを、未然に防止し得るようになる。
【図面の簡単な説明】
【図１】清涼飲料のディスペンサーの縦断正面図である。
【図２】本発明を実施せる清涼飲料のディスペンサーの縦断正面図である。
【図３】同上の要部の断面図である。
【図４】同上の全体の正面図である。
【符号の説明】
Ａ…ディスペンサー、 Ｂ…ボンベ、ａ…機体、ｗ…冷却水、ｋ…氷、Ｓ…氷センサ、Ｓ１・Ｓ２…電極、Ｌ…ランプ、Ｍ１…モータ、Ｍ２…駆動モータ、１…水槽、１０…電源コード、２…蛇管、２ａ…始端側、２ｂ…終端側、３…冷凍機、３０…機械室、３ａ…コンプレッサー、３ｂ…放熱器、３ｃ…冷却ファン、３ｄ…冷媒蛇管、３ｅ…冷媒管路、４…生樽、４０…導管、５…ドラフトコック、６…コントローラ、６ａ…制御ボックス、６ｂ…ステー、７…水質センサ、７０・７１…電極、７２…ステー、８…表示装置、８０…表示面、９…アジテーター。
【図１】
0003600812.tif 000002
【図２】
0003600812.tif 000003
【図３】
0003600812.tif 000004
【図４】
0003600812.tif 000005